(57)【特許請求の範囲】
【請求項１】
複写機のプラテンガラスの上部で開閉可能に設けられたドキュメントフィーダ装置に設けられ原稿を自動的に前記プラテンガラス上に搬送するシート材搬送装置において、
給紙トレイ上に載置された原稿を給送する給送手段と、
前記給送手段により給送される原稿の重送を防止するために、前記給送手段に圧接するように圧接力が付与される分離手段と、
前記給送手段と前記分離手段との圧接点よりも下流の前記原稿の搬送路を形成するガイド手段と、
前記搬送路の下流に配置され、前記原稿を搬送する搬送回転体と、
を設け、該ガイド手段は、前記圧接点と前記搬送回転体との間の下部に配置された下ガイド手段を備え、該下ガイド手段が前記搬送路の下方向に回動可能に設けられ、該下ガイド手段を回動させることにより前記搬送路を外部に対して開放及び閉鎖することを特徴とするシート材搬送装置。
【請求項２】
前記下ガイド手段が、前記搬送回転体の回転軸を中心下方向に回動することを特徴とする請求項１に記載のシート材搬送装置。
【請求項３】
ドキュメントフィーダ装置が複写機のプラテンガラスの上方に開放された場合、該複写機から該ドキュメントフィーダ装置への電源供給は停止されることを特徴とする請求項１又は請求項２に記載のシート材搬送装置。
【請求項４】
上記請求項１から３のいずれか１項に記載のシート材搬送装置と、
前記シート材搬送装置により搬送された原稿の画像を読み取る画像読取手段と、
を備えることを特徴とする画像読取装置。
【請求項５】
上記請求項１から３のいずれか１項に記載のシート材搬送装置と、
前記シート材搬送装置により搬送された原稿の画像を読み取る画像読取手段と、
該画像読取手段により読み取られた原稿の画像を画像形成シート材に形成する画像形成
手段と、
を備えることを特徴とする画像形成装置。
【発明の詳細な説明】
【０００１】
【発明の属する技術分野】
本発明は複写機、ＦＡＸ及びプリンター等のシート材上に画像を形成する画像形成装置及びこのような画像形成装置に用いられて好適なシート材搬送装置及び画像読取装置に関するものである。
【０００２】
【従来の技術】
従来、原稿の画像を読み取り、これを紙等のシート材に形成する画像形成装置として、例えば複写機等が知られている。
【０００３】
ここで、図５を用いて従来の複写機の概略動作について説明する。
図５に、従来の複写機の構造図を示す。
【０００４】
図５に示される複写機１は、原稿２を押圧するための押圧手段として作用する押圧部Ａと、原稿２の画像を読み取る画像読取部Ｂと、画像読取部Ｂにより読み取られた画像に基づき紙等のシート材に画像を形成する画像形成部Ｃとで構成されている。
【０００５】
複写機１の押圧部Ａは、原稿２を原稿給紙トレイ３からプラテンガラス４上の所定位置まで搬送し原稿画像を光学読取装置５によって走査した後、原稿排紙トレイ６上に原稿２を排出するためのドキュメントフィーダ装置７を有する。
【０００６】
ドキュメントフィーダ装置７は原稿給紙トレイ３上の原稿２を１枚ずつ給紙するための給紙ローラ８と原稿２の重送を防止するための分離パッド９を有し双方の協力で原稿２を確実に１枚ずつ分離した上でレジスト上ローラ１０及びレジスト下ローラ１１により構成されるレジストローラ対のニップまで給送する。
【０００７】
レジストローラ対のニップ部まで達した原稿２は、画像読取部Ｂと画像形成部Ｃとで構成される本体１２側との同期をとった上で搬送ベルト１３の入口１４に送られ、その後搬送ベルト１３によりプラテンガラス４上の所定位置まで搬送される。
【０００８】
そして、画像読取部Ｂが備える光学読取装置５により画像を走査された後、原稿２は排紙ローラ１５、１６により原稿排紙トレイ６上に排出される。
【０００９】
次に本体１２側について述べる。画像形成シート材としての記録用紙２０は給紙トレイ２１上から給紙ローラ２２、分離パッド２３との協力で１枚ずつ分離された上でレジスト上ローラ２５及びレジスト下ローラ２４により構成されるレジストローラ対のニップ部まで給紙される。
【００１０】
ここで、光学読取装置５によって走査された原稿画像がトナー粉を用いて現像された感光ドラム２６上の画像と同期されながら感光ドラム２６と転写帯電器２７との間に送られ転写帯電器２７により画像をその上面に転写される。
【００１１】
この後搬送ベルト２８により加熱定着ローラ２９、３０のニップまで送られ画像を定着された後、排紙ローラ３１、３２により排紙トレイ３３上に排出される。
【００１２】
次にドキュメントフィーダ装置７の給紙ローラ８、分離パッド９部及び本体側における給紙ローラ２２、分離パッド２３部の詳細構成をドキュメントフィーダ装置７側を例にし
て述べる。これは本体側においても同様である。
【００１３】
まず、図５に示される複写機における給送部について図６及び図７を参照して説明する。図６及び図７に、図５に示される複写機における給送部の構造図を示す。
【００１４】
図６において４０は原稿給紙トレイ３上の原稿２の先端を給紙ローラ８に圧接させるための揺動板で軸４２を中心にＡ、Ｂ方向に揺動可能にフレーム４３に支持され、かつ中板バネ４７によりＡ方向に付勢されており、この付勢力により原稿２の先端を給紙ローラ８に対して圧接させている。
【００１５】
４４は分離パッドホルダーであり、軸４５を中心にＣ、Ｄ方向に揺動可能にフレーム４３に支持され、かつ分離パッドバネ４６によりＣ方向に付勢されている。この付勢力により分離パッドホルダー４４上に固定された分離パッド９を介して給紙ローラ８に対して圧接されている。
【００１６】
給紙ローラ８がＥ方向に回転を開始すると原稿２の数枚が給紙ローラ８と分離パッド９のニップ部入口まで送られるが、このニップ部で原稿２は１枚ずつ確実に分離されレジストローラ対まで給紙される。
【００１７】
このように原稿２を確実に１枚ずつ分離し給送するため、分離パッド９の表面と給紙ローラ８表面の間の摩擦係数μは原稿どうしの摩擦係数より高くなければならず、原稿として使用される用紙の種類、温度、湿度等の環境条件を考慮して概ねμ＝１程度以上必要である。
【００１８】
４８は給紙ローラ８により給送された原稿２を給紙ローラ８と分離パッド９のニップ出口５１における接線方向Ｆに導くためのガイドコロであり、ガイドコロ４８上を通過した原稿２は用紙上ガイド４９と用紙下ガイド５０に案内され、レジストローラ対のニップ部入口に達する。
【００１９】
図６のように給紙ローラ８と分離パッド９のニップ部を抜けた原稿２をその後下方に位置するプラテンガラス４上に向けて下降させ搬送させなければならない構成の場合、図７に示されるように接線方向Ｆに原稿２をガイドするガイドコロ４８若しくは相当するガイド手段を用いず直ちに原稿２をプラテンガラス４上に向けて下降搬送させてしまうと、比較的厚みの大きい腰の強い原稿２の場合に分離パッドバネ４６が原稿２の腰に負けて十分な圧接力を給紙ローラ８に向けて加えることができなくなり、スリップ、重送等の給紙不良を引き起こしてしまう恐れがある。
【００２０】
また分離パッドバネ４６の圧接力が強すぎると、給紙ローラ８、分離パッド９のニップ部に原稿２の先端がスムーズに進入しなかったり、薄紙のような腰の弱い原稿の場合にしわが寄ってしまうとか、給送中に異音が発生する等の問題の恐れもあるため、分離パッドバネ４６の圧接力を必要以上に大きくすることもできない。
【００２１】
以上の理由により、給紙ローラ８と分離パッド９とにより原稿２を１枚ずつ分離して、その後給紙ニップ部より下方に向けて下降搬送させる構成の場合、給紙ローラ８と分離パッド９とのニップ部の下流直後にニップ出口５１における接線方向へ原稿２をガイドするガイドコロもしくは同等の機能を有するガイド手段が必要となる。
【００２２】
次に、図５に示される複写機１とドキュメントフィーダ装置７との取付関係等について図８から図１５を用いて説明する。
【００２３】
図８から図１１に、図５に示される複写機１の外観斜視図を示し、図１２及び図１３に、図５に示される複写機１の背面図を示し、図１４及び図１５に、図５に示される複写機のヒンジ部の構造図を示す。
【００２４】
複写機１の奥側上部にはドキュメントフィーダ装置７をヒンジ軸６０を中心にＧ、Ｈ方向（図１３、図１５）に回動可能に支持するためのヒンジ足６１が固定されており、ドキュメントフィーダ装置７は図８、図９、図１０、図１２、図１３（実線）、図１４のような閉状態と図１１、図１３（一点鎖線）、図１５のような開状態を連続的に選択できるようになっており、プラテンガラス４上に原稿２を載置するときに開放し、載置後再び閉めることによりコピー動作が可能となっている。
【００２５】
また、図１４及び図１５に示される６２はマイクロスイッチであり、ドキュメントフィーダ装置７が図１５のように開放された状態では押込部６３は押し込まれてはおらず、複写機１本体からドキュメントフィーダ装置７への給電が行われないためコピー動作は不可となっており、図１４のようにドキュメントフィーダ装置７が閉められた状態ではマイクロスイッチ６２の押込部６３はヒンジ足６１の突部６４により押込まれＯＮとなるため、複写機１本体からドキュメントフィーダ装置７への給電が行われコピー動作が可能となる。
【００２６】
次に、ドキュメントフィーダ装置７の給紙ローラ８と分離パッド９のニップ部からレジストローラ対にかけての部位で紙詰まり（ＪＡＭ）が発生した場合の対処について述べる。
【００２７】
このとき使用者は図示しない加圧解除手段を動作させて分離パッドバネ４６及び中板バネ４７の圧接力を解除させて上で給紙トレイ方向Ｋまたは搬送ベルト方向Ｊ（図６）に原稿を引抜くことでＪＡＭ処理を行うようになっている。
【００２８】
【発明が解決しようとする課題】
しかしながら上記従来例で述べた構成においては、給紙手段よりシート材の搬送方向下流、すなわち、給紙手段以降の部分のシート材の取り扱い性を向上させることが困難であるという問題点を有している。
【００２９】
例えば、前述の従来技術を例に上げて説明すると、図１６に示されるように、給紙ローラ８、分離パッド９のニップ部からレジスト上ローラ１０及びレジスト下ローラ１１により構成されるレジストローラ対にかけての範囲でＪＡＭが発生した場合、使用者が分離パッドバネ４６及び中板バネ４７の圧接力を解除せずに給紙トレイの方向（Ｋ方向、図１６）に原稿２を引張ってしまった場合に給紙ローラ８、分離パッド９のニップ出口５１の角部に原稿２の下流側部が引掛かり破損し、図１６のようにニップ出口５１からガイドコロ４８周辺にかけて紙片として残ってしまう恐れがある。ここで、図１６に、図５に示される複写機の給紙ローラ近傍の構造図を示す。
【００３０】
特に原稿２と給紙ローラ８及び原稿２と分離パッド９の摩擦係数はμ＝１以上確保してあるので原稿２はＫ方向にすり抜け難く急激に引張って場合にニップ部内で原稿２が破れ下流側が図１６のように残紙片として取り残されてしまうことがあるのである。
【００３１】
給紙ニップ部からレジストローラ対にかけての範囲では上述のように給紙ローラ８、分離パッド９、ガイドコロ４８、用紙上ガイド４９、用紙下ガイド５０、レジストローラ対といったように搬送部材が密集しているので給紙トレイ方向もしくは搬送ベルト１３側から手指をさし込んでＪＡＭ処理を行うことはほぼ不可能である。
【００３２】
このように、従来技術では、分離パッドバネ９、中板バネ４７の圧接力を解除しないで原稿２を急激に引抜いたような場合に発生する恐れのある、給紙部ＪＡＭ（紙片残り）に対しても有効なＪＡＭ処理を行うことが困難であった。
【００３３】
本発明は上記事情に鑑みなされたもので、給紙手段以降の部分のシート材の取り扱い性を向上させることが可能な操作性の良いシート材搬送装置、画像読取装置及び画像形成装置を提供することを目的とする。
【００３４】
【課題を解決するための手段】
上記目的を達成するために、本発明に係るシート材搬送装置は、
複写機のプラテンガラスの上部で開閉可能に設けられたドキュメントフィーダ装置に設けられ原稿を自動的に前記プラテンガラス上に搬送するシート材搬送装置において、
給紙トレイ上に載置された原稿を給送する給送手段と、
前記給送手段により給送される原稿の重送を防止するために、前記給送手段に圧接するように圧接力が付与される分離手段と、
前記給送手段と前記分離手段との圧接点よりも下流の前記原稿の搬送路を形成するガイド手段と、
前記搬送路の下流に配置され、前記原稿を搬送する搬送回転体と、
を設け、該ガイド手段は、前記圧接点と前記搬送回転体との間の下部に配置された下ガイド手段を備え、該下ガイド手段が前記搬送路の下方向に回動可能に設けられ、該下ガイド手段を回動させることにより前記搬送路を外部に対して開放及び閉鎖することを特徴とする。
【００３５】
また、前記下ガイド手段が、前記搬送回転体の回転軸を中心下方向に回動することも好ましい。
【００３６】
また、ドキュメントフィーダ装置が複写機のプラテンガラスの上方に開放された場合、該複写機から該ドキュメントフィーダ装置への電源供給は停止されることも好ましい。これにより、前記下ガイド手段の移動が行われている際は、シート材搬送装置の駆動が停止される。
【００３７】
さらに、本発明に係る画像読取装置は、上記シート材搬送装置と、該シート材搬送装置により搬送された原稿の画像を読み取る画像読取手段とを備える。
【００３８】
さらに、本発明に係る画像形成装置は、上記シート材搬送装置と、該シート材搬送装置により搬送された原稿の画像を読み取る画像読取手段と、該画像読取手段により読み取られた原稿の画像を画像形成シート材に形成する画像形成手段とを備える。
【００３９】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００４０】
また、以下の図面において、前述の従来技術の説明で用いた図面に記載された部材、及び既述の図面に記載された部材と同様の部材には同じ番号を付す。
【００４１】
図１、図２及び図３を用いて本発明に係るシート材搬送装置の実施形態について説明する。ただし従来例と同様の構成については説明を省略する。
【００４２】
図１及び図２に、本発明に係るシート材搬送装置の実施形態の構造図を示し、
図３及び図４に、本発明に係るシート材搬送装置の実施形態の斜視下面図を示す。
【００４３】
１１は、本発明の搬送回転体としての前述したレジストローラ対の下側ローラであるレジスト下ローラであり、本発明の搬送回転体の回転軸としての軸心１０１を中心にして本発明のガイド手段により構成される開閉手段としての開閉扉１００が回動自在に支持されている。
【００４４】
開閉扉１００は以下のように構成されている。１０４は本発明の押圧手段としてのドキュメントフィーダ装置７のフレーム４３と一体に設けられている開閉扉固定部１１０に対して開閉扉１００を閉状態で固定位置決めするための固定爪であり、先端には引掛部１０５が形成されている。
【００４５】
１０９は、本発明のガイド手段の下ガイドを構成するガイドコロ１０３をガイドコロ軸１０２中心に回転自在に支持するためのガイドコロ支持部である。１０８は原稿２をガイドコロ１０３からレジスト下ローラ１１まで導く、本発明のガイド手段の下ガイドを構成するガイド部である。
【００４６】
１１３はレジスト下ローラ１１の軸心１０１に対して開閉扉１００を回動自在に支持させるための支持部である。
【００４７】
１０７はフレーム４３と一体に形成された回動角規制部１１１に対して突当ることにより開閉扉１００の開状態（図１、図３）での開放角度を規制しているストッパーである。
【００４８】
以上の構成によるドキュメントフィーダ装置７の動作について述べる。給紙トレイ３上の本発明のシート材としての原稿２は従来例でも述べたように本発明の給送手段としての給紙ローラ８と本発明の分離手段としての分離パッド９との本発明の圧接点としてのニップ部において、一枚ずつ分離されてそのニップ出口５１から接線方向にガイドコロ１０３に導かれその後レジスト上ローラ１０及びレジスト下ローラ１１により構成されるレジストローラ対のニップ部に送られる。
【００４９】
この際、給紙ローラ８、分離パッド９のニップ部から、レジストローラ対までの間においてジャムが発生し、かつ使用者が図示しない加圧解除手段を用いず、即ち分離パッドバネ４６、中板バネ４７の加圧力を解除せずに詰まった原稿を給紙トレイ側に急激に引張る等して空間１０６に紙片として残った場合には、使用者は図３、図４に示すように、本発明の押圧手段を構成するドキュメントフィーダ装置７のフレーム４３に設けられた把手部１１４を持ち上げドキュメントフィーダ装置７を上方に開放する。
【００５０】
このとき従来例でも述べたようにドキュメントフィーダ装置７への電源供給は停止され、使用者は容易にジャム処理を行うことが可能となる。
【００５１】
ドキュメントフィーダ装置７を上方に開放することによりジャム処理のための開閉扉１００がドキュメントフィーダ下面に位置していることを確認した使用者は固定爪１０４を手指でＮ方向に押し込むことにより、図１、図３のようにレジスト下ローラ１１の軸心１０１を中心にＬ方向に開閉扉１００を開放することができる。
【００５２】
このとき先程述べたようにドキュメントフィーダ装置７への電源供給は停止されているので、給紙ローラ８、レジストローラ対及び搬送ベルト１３その他図示しない駆動手段等は万一画像読取装置自体に誤動作が生じても動作することはないので手指を容易に空間１０６内にさし入れることができ、詰まった原稿２をとり出すことができる。
【００５３】
ジャム紙片の取出しが終了した後再び開閉扉１００をＭ方向に回動させることにより固定爪１０４先端の引掛部１０５がフレーム４３側の開閉扉固定部１１０に対して引掛り、図２、図４のように開閉扉１００を閉めることができる。最後にドキュメントフィーダ装置７を押し下げ本発明の載置台としてのプラテンガラス４上に載置することにより、再度ドキュメントフィーダ装置７への電源供給が行われコピー動作可能となる。
【００５４】
以上述べた構成、動作により通常の動作時においては、給紙ローラ８、分離パッド９のニップを抜けた原稿２をニップ出口５１における接線方向に導くことにより原稿２の厚み、腰の強さ等に左右されずに分離パッドバネ４６による圧接力を安定させた状態でプラテンガラス４上に向けて原稿２を下降搬送させるためのガイドコロ１０３の機能を維持したまま、給紙ローラ８の原稿２の搬送方向下流である、給紙ローラ８及びレジストローラ対にかけての空間１０６でのジャム処理を効率的かつ安全に行うことができる。
【００５５】
なお、使用者が図示しない加圧解除手段を動作させて給紙トレイ３の方向もしくは搬送ベルト１３の方向へジャム原稿を引抜いた場合には従来例と同様のジャム処理を行うことができるので、本実施形態ではさらに高い操作性、信頼性が得られるわけである。
【００５６】
（画像読取装置の実施形態）
次に本発明に係る画像読取装置の実施形態について説明する。本発明に係る画像読取装置の実施形態は、上記本発明に係るシート材搬送装置の実施形態を具備した実施形態である。
【００５７】
すなわち、上記実施形態として示されたシート材搬送装置により搬送されたシート材の画像の読み取りを行なう画像読取手段を備える画像読取装置である。また、本発明に係る画像読取装置の実施形態が適用される装置としては、プリンタ、ＦＡＸ、複写機等を挙げることができる。
【００５８】
例えば、本発明に係る画像読取装置は、前述の図５において、押圧部Ａが上述の本発明に係るシート材搬送装置の実施形態に置き換わった際の、画像読取部Ｂとなる。
【００５９】
したがって、本発明に係る画像読取装置の実施形態においては、前述の本発明に係るシート材搬送装置の実施形態と同様の効果を得ることができる。
【００６０】
（画像形成装置の実施形態）
次に本発明に係る画像形成装置の実施形態について説明する。本発明に係る画像形成装置の実施形態は、上記本発明に係るシート材搬送装置の実施形態を具備した実施形態である。
【００６１】
すなわち、上記実施形態として示されたシート材搬送装置により搬送された原稿の画像を画像読取装置によりを読み取り、この読み取った画像情報に基づいて、本発明の画像形成シート材としてのシート材に画像形成を行なう画像形成手段を備える画像形成装置である。また、本発明に係る画像形成装置の実施形態が適用される装置としては、プリンタ、ＦＡＸ、複写機等を挙げることができる。
【００６２】
例えば、本発明に係る画像形成装置は、前述の図５において、押圧部Ａが上述の本発明に係るシート材搬送装置の実施形態に置き換わった際の、画像形成部Ｃとなる。
【００６３】
また、画像形成手段としては電子写真方式の画像形成手段の他にも、インクジェット式の画像形成手段や、バブルジェット式の画像形成手段等が適用できるが、これらに限定さ
れるものではなくその他適宜な画像形成手段を適用することができる。
【００６４】
したがって、本発明に係る画像形成装置の実施形態においては、前述の本発明に係るシート材搬送装置の実施形態と同様の効果を得ることができる。
【００６５】
このように、本発明に係るシート材搬送装置、画像読取装置及び画像形成装置の各実施形態によれば、給送ローラ８と分離パッド９との圧接点よりも下流の原稿２の搬送路を形成する開閉扉１００や開閉扉２００が移動することから、例えば圧接点よりも下流においてジャム等の原稿２の搬送異常が発生した場合であっても、開閉扉１００や開閉扉２００を移動させてこの搬送異常に対処することができるため、ユーザの操作性及び利便性を向上させることができる。
【００６６】
また、開閉扉１００が下方向に移動するため、さらにユーザの操作性及び利便性を向上させることができる。
【００６７】
また、開閉扉１００の移動が行われている際は、例えば給送ローラ８の駆動やレジスト上ローラ１０及びレジスト下ローラ１１の駆動その他の駆動が停止されているため、ユーザはさらに容易に原稿２の搬送異常に対処することができる。
【００６８】
また、シート材搬送装置が原稿２を押圧するドキュメントフィーダ装置７に配置されているため、さらに操作性及び利便性を向上させることができる。
【００６９】
【発明の効果】
以上説明したように、本発明によれば、給紙手段と分離手段との圧接部を抜けたシート材をガイド手段により導くことで、シート材の厚み、腰の強さ等に左右されずに分離手段により圧接力を安定して付与し、載置台に向けてシート材を搬送させつつ、給紙手段より下流の空間でのシート材のジャム処理等の搬送異常を容易かつ効率的に処理することが可能なシート材搬送装置、画像読取装置及び画像形成装置を提供することができる。
【図面の簡単な説明】
【図１】本発明に係るシート材搬送装置の実施形態の構造図である。
【図２】本発明に係るシート材搬送装置の実施形態の構造図である。
【図３】本発明に係るシート材搬送装置の実施形態の斜視下面図である。
【図４】本発明に係るシート材搬送装置の実施形態の斜視下面図である。
【図５】従来の複写機の構造図である。
【図６】図５に示される複写機における給送部の構造図である。
【図７】図５に示される複写機における給送部の構造図である。
【図８】図５に示される複写機の外観斜視図である。
【図９】図５に示される複写機の外観斜視図である。
【図１０】図５に示される複写機の外観斜視図である。
【図１１】図５に示される複写機の外観斜視図である。
【図１２】図５に示される複写機の背面図である。
【図１３】図５に示される複写機の背面図である。
【図１４】図５に示される複写機のヒンジ部の構造図である。
【図１５】図５に示される複写機のヒンジ部の構造図である。
【図１６】図５に示される複写機の給紙ローラ近傍の構造図である。
【符号の説明】
１  複写機
２  原稿
３  原稿給紙トレイ
４  プラテンガラス
５  光学読取装置
６  原稿排紙トレイ
７  ドキュメントフィーダ装置
８  給紙ローラ
８ａ  駆動軸
９  分離パッド
１０  レジスト上ローラ
１１  レジスト下ローラ
１２  本体
１３  搬送ベルト
１４  入口
１５、１６  排紙ローラ
２０  記録用紙
２１  給紙トレイ
２２  給紙ローラ
２３  分離パッド
２４  レジスト下ローラ
２５  レジスト上ローラ
２６  感光ドラム
２７  転写帯電器
２８  搬送ベルト
２９、３０  加熱定着ローラ
３１、３２  排紙ローラ
３３  排紙トレイ
４０  揺動板
４２  軸
４３  フレーム
４４  分離パッドホルダー
４５  軸
４６  分離パッドバネ
４７  中板バネ
４８  ガイドコロ
４９  用紙上ガイド
５０  用紙下ガイド
５１  ニップ出口
６０  ヒンジ軸
６１  ヒンジ足
６２  マイクロスイッチ
６３  押込部
６４  突部
１００  開閉扉
１０１  軸心
１０２  ガイドコロ軸
１０３  ガイドコロ
１０４  固定爪
１０５  引掛部
１０６  空間
１０７  ストッパー
１０８  ガイド部
１０９  ガイドコロ支持部
１１０  開閉扉固定部
１１１  回転角規制部
１１３  支持部
１１４  把手部
Ａ  押圧部
Ｂ  画像読取部
Ｃ  画像形成部
【図１】
0003619102.tif 000002
【図２】
0003619102.tif 000003
【図３】
0003619102.tif 000004
【図４】
0003619102.tif 000005
【図５】
0003619102.tif 000006
【図６】
0003619102.tif 000007
【図７】
0003619102.tif 000008
【図８】
0003619102.tif 000009
【図９】
0003619102.tif 000010
【図１０】
0003619102.tif 000011
【図１１】
0003619102.tif 000012
【図１２】
0003619102.tif 000013
【図１３】
0003619102.tif 000014
【図１４】
0003619102.tif 000015
【図１５】
0003619102.tif 000016
【図１６】
0003619102.tif 000017